(57)【要約】      （修正有）【課題】１回の血圧測定の終了時から次回の血圧測定のための加圧開始時までのユーザの待ち時間を解消できる血圧計を提供する。【解決手段】血圧計は、被測定部位に巻き付けて装着されるカフ２０と、カフに空気を供給しまたはカフから排気して、カフの圧力を制御するカフ圧制御部と、カフの圧力に対応する時系列の出力値を得る圧力検出部とを備える。カフ圧制御部は、１回の血圧測定が終了する段階でカフからの排気を開始する。排気完了時予測部は、カフからの排気中に、圧力検出部によって得られた時系列の出力値に基づいて、カフからの排気が完了すべき排気完了時を予測する。カフ圧制御部は、予測された排気完了時、または、予測された排気完了時よりも前に、次回の血圧測定のための加圧を開始する。【選択図】図１
2018023624.tif 000002
【特許請求の範囲】
【請求項１】
被測定部位に巻き付けて装着されるカフを備え、このカフによって上記被測定部位を通る動脈を圧迫して血圧を測定する血圧計であって、
上記カフに空気を供給しまたは上記カフから排気して、上記カフの圧力を制御するカフ圧制御部と、
上記カフの圧力に対応する時系列の出力値を得る圧力検出部とを備え、
上記カフ圧制御部は、１回の血圧測定が終了する段階で上記カフからの排気を開始し、
上記カフからの排気中に、上記圧力検出部によって得られた時系列の出力値に基づいて、上記カフからの排気が完了すべき排気完了時を予測する排気完了時予測部を備え、
上記カフ圧制御部は、上記予測された排気完了時、または、上記予測された排気完了時よりも前に、次回の血圧測定のための加圧を開始することを特徴とする血圧計。
【請求項２】
請求項１に記載の血圧計において、
上記排気完了時予測部は、上記カフの圧力が時間の経過に伴って指数関数的に減少すると仮定して、上記カフの圧力の時間的変化が予め定められた閾値以下になるべき時を、上記排気完了時として予測することを特徴とする血圧計。
【請求項３】
請求項１または２に記載の血圧計において、
上記予測された排気完了時よりも前に、上記予測された排気完了時における上記圧力検出部による出力値を予測して算出する出力値算出部と、
上記予測された排気完了時よりも前に、上記予測された排気完了時における上記予測して算出された出力値を、上記次回の血圧測定のための大気圧に相当する基準値として決定する事前初期化部を備えたことを特徴とする血圧計。
【請求項４】
請求項１から３までのいずれか一つに記載の血圧計において、
上記カフ圧制御部は、測定要求が入力されたことを条件として、上記次回の血圧測定のための加圧を開始することを特徴とする血圧計。
【請求項５】
請求項４に記載の血圧計において、
上記カフ圧制御部は、上記測定要求が上記予測された排気完了時以降の予め定められたスタンバイ期間内に入力されたとき、直ちに上記次回の血圧測定のための加圧を開始することを特徴とする血圧計。
【請求項６】
請求項１から５までのいずれか一つに記載の血圧計において、
上記カフ圧制御部は、上記カフからの排気によって上記カフの圧力が予め定められた規制値未満になった後に上記加圧を開始することを特徴とする血圧計。
【発明の詳細な説明】
【技術分野】
【０００１】
この発明は血圧計に関し、より詳しくは、腕や手首などの被測定部位に巻き付けて装着されるカフを備え、このカフによって上記被測定部位を通る動脈を圧迫して血圧を測定する電子血圧計に関する。
【背景技術】
【０００２】
従来、この種の血圧計としては、例えば特許文献１（特開２０１３−１５０６９２号公報）に開示されているように、血圧測定を開始する際に、初期化処理として、血圧計全体を制御するためのＣＰＵ（Central  Processing  Unit）が処理用メモリ領域を初期化し、空気袋内の空気を排気して圧力センサの０ｍｍＨｇ補正（大気圧に相当する圧力センサの出力値を決定する処理）を行うものが知られている。同文献では、この初期化処理の後、ＣＰＵは、弁を閉鎖し、ポンプを所定の駆動量で駆動する。これにより、カフに内包された空気袋が徐々に加圧される。この加圧過程（またはその後の減圧過程）における圧力センサの出力に基づいて、オシロメトリック法により血圧値が算出される。
【先行技術文献】
【特許文献】
【０００３】
【特許文献１】特開２０１３−１５０６９２号公報
【発明の概要】
【発明が解決しようとする課題】
【０００４】
ところで、血圧は常に一定ではなく、例えば血圧測定中でも、呼吸に同期して１拍毎に変動している。また、血圧の変動量は被験者の緊張や活動量により異なる。そのため、血圧を正しく測定するためには、安静状態で測定を行うことが推奨されている。しかしながら、一般のユーザ（被験者を含む。）にとって、安静状態で正しい測定ができたか否かは分からない。このため、ユーザは、安静状態で正しい測定ができたか否かの目安を得ようとして、一測定機会（カフを一旦装着した測定のための機会）当たり２回〜３回測定を繰り返しているのが実情である。
【０００５】
ここで、上記従来の血圧計では、血圧測定を開始する都度、上述の初期化処理を行っている。具体的には、例えば図８に示すように、まず初期設定（ステップＳ９１）として、ＣＰＵは約３００ｍｓ（ミリ秒）かけて圧力センサを起動し（ステップＳ９１１）、メモリから機器の設定（例えば仕向地などに応じた機能の有効／無効の設定など）を読み込む（ステップＳ９１２）。続いて、基準値決定（ステップＳ９２）のために、ＣＰＵは現時点の圧力センサの出力値（デジタル化された出力値。これをＡＤ１とする。）を読み込み（ステップＳ９２１）、１ｓｅｃ（秒）待った後（ステップＳ９２２）、再び圧力センサの出力値（これをＡＤ２とする。）を読み込む（ステップＳ９２３）。それらの出力値間の差分｜ＡＤ１−ＡＤ２｜に相当する差圧が予め定められた閾値α０（例えば、α０＝０．５ｍｍＨｇとする。）以下であれば（ステップＳ９２４でＹＥＳ）、その時点の出力値ＡＤ２を大気圧（０ｍｍＨｇ）に相当する基準値として決定する（０ｍｍＨｇ補正）（ステップＳ９２５）。ステップＳ９２４で上記差圧が閾値α０を超えていれば（ステップＳ９２４でＮＯ）、さらに１ｓｅｃ（秒）待つ。このため、図９（カフ圧Ｐｃの時間的推移を表す。）に示すように、例えば１回目の測定の終了時（空気袋の排気完了時）ｔ１から２回目の測定の加圧開始（図８中のステップＳ９３）の時ｔ２までに、必ず数秒間の非加圧期間（ユーザの待ち時間）ｔｄが生ずる。このため、早く測定を繰り返したいユーザにとって、血圧計の処理が遅いように感じられ、不満が募るという問題がある。
【０００６】
そこで、この発明の課題は、１回の血圧測定の終了時から次回の血圧測定のための加圧開始時までのユーザの待ち時間を解消できる血圧計を提供することにある。
【課題を解決するための手段】
【０００７】
上記課題を解決するため、この発明の血圧計は、
被測定部位に巻き付けて装着されるカフを備え、このカフによって上記被測定部位を通る動脈を圧迫して血圧を測定する血圧計であって、
上記カフに空気を供給しまたは上記カフから排気して、上記カフの圧力を制御するカフ圧制御部と、
上記カフの圧力に対応する時系列の出力値を得る圧力検出部とを備え、
上記カフ圧制御部は、１回の血圧測定が終了する段階で上記カフからの排気を開始し、
上記カフからの排気中に、上記圧力検出部によって得られた時系列の出力値に基づいて、上記カフからの排気が完了すべき排気完了時を予測する排気完了時予測部を備え、
上記カフ圧制御部は、上記予測された排気完了時、または、上記予測された排気完了時よりも前に、次回の血圧測定のための加圧を開始することを特徴とする。
【０００８】
本明細書で、１回または次回の「血圧測定」とは、カフの加圧過程または減圧過程で血圧値を算出する処理を指す。いずれの場合も、血圧測定が終了する段階でカフからの排気が行われる。
【０００９】
「排気完了時」とは、上記カフの圧力（カフ圧）が実質的にゼロになる時を指す。カフ圧が「実質的にゼロ」とは、血圧測定の観点からゼロと見なせる範囲、例えば圧力の絶対値が０．５ｍｍＨｇ以下である範囲を含む。
【００１０】
この発明の血圧計では、カフ圧制御部は、１回の血圧測定が終了する段階で上記カフからの排気を開始する。圧力検出部は、上記カフの圧力に対応する時系列の出力値を得る。排気完了時予測部は、上記カフからの排気中に、上記圧力検出部によって得られた時系列の出力値を監視して、上記カフからの排気が完了すべき排気完了時を予測する。そして、上記カフ圧制御部は、上記予測された排気完了時、または、上記予測された排気完了時よりも前に、次回の血圧測定のための加圧を開始する。したがって、この血圧計によれば、１回の血圧測定の終了時から次回の血圧測定のための加圧開始時までのユーザの待ち時間を解消できる。この結果、早く測定を繰り返したいユーザの満足度を高めることができる。
【００１１】
なお、この発明によって１回の血圧測定から次回の血圧測定へ連続させる処理は、複数回繰り返され得る。例えば、この発明が１回目の血圧測定から２回目の血圧測定への連続に適用された後、２回目の血圧測定から３回目の血圧測定への連続に再び適用されてもよい。
【００１２】
一実施形態の血圧計では、上記排気完了時予測部は、上記カフの圧力が時間の経過に伴って指数関数的に減少すると仮定して、上記カフの圧力の時間的変化が予め定められた閾値以下になるべき時を、上記排気完了時として予測することを特徴とする。
【００１３】
この一実施形態の血圧計では、上記排気完了時予測部は、上記カフの圧力が時間の経過に伴って指数関数的に減少すると仮定して、上記カフの圧力の時間的変化が予め定められた閾値以下になるべき時を、上記排気完了時として予測する。これにより、時刻と上記圧力検出部による出力値（それに対応する上記カフの圧力）との少ないデータセット数で、精度良く迅速に上記排気完了時を予測できる。
【００１４】
一実施形態の血圧計では、
上記予測された排気完了時よりも前に、上記予測された排気完了時における上記圧力検出部による出力値を予測して算出する出力値算出部と、
上記予測された排気完了時よりも前に、上記予測された排気完了時における上記予測して算出された出力値を、上記次回の血圧測定のための大気圧に相当する基準値として決定する事前初期化部を備えたことを特徴とする。
【００１５】
この一実施形態の血圧計では、出力値算出部は、上記予測された排気完了時よりも前に、上記予測された排気完了時における上記圧力検出部による出力値を予測して算出する。事前初期化部は、上記予測された排気完了時よりも前に、上記予測された排気完了時における上記圧力検出部の上記予測された出力値を、上記次回の血圧測定のための大気圧（０ｍｍＨｇ）に相当する基準値として決定する（０ｍｍＨｇ補正）。したがって、上記次回の血圧測定の精度が確保され得る。
【００１６】
なお、上記出力値算出部は、上記予測された排気完了時における上記圧力検出部による出力値を予測して算出するために、上記カフの圧力が時間の経過に伴って指数関数的に減少すると仮定するのが望ましい。これにより、上記指数関数を用いて、上記予測された排気完了時における上記圧力検出部による出力値を、精度良く迅速に算出できる。
【００１７】
一実施形態の血圧計では、上記カフ圧制御部は、測定要求が入力されたことを条件として、上記次回の血圧測定のための加圧を開始することを特徴とする。
【００１８】
この一実施形態の血圧計では、上記カフ圧制御部は、測定要求が入力されたことを条件として、上記次回の血圧測定のための加圧を開始する。したがって、ユーザが繰り返し測定を望むときに限り、上記次回の血圧測定が行われる。
【００１９】
一実施形態の血圧計では、上記カフ圧制御部は、上記測定要求が上記予測された排気完了時以降の予め定められたスタンバイ期間内に入力されたとき、直ちに上記次回の血圧測定のための加圧を開始することを特徴とする。
【００２０】
ここで、「直ちに」加圧を開始するとは、測定要求が入力された後の新たな初期化処理（０ｍｍＨｇ補正を含む。）を省略して加圧を開始することを意味する。
【００２１】
上記測定要求が上記予測された排気完了時までに入力されなかったけれども、上記予測された排気完了時から予め定められたスタンバイ期間内に入力された場合、それ以前に上記次回の血圧測定のための大気圧に相当する基準値が決定されている（０ｍｍＨｇ補正されている）ときは、上記次回の血圧測定のためにその基準値をそのまま使えると考えられる。そこで、この一実施形態の血圧計では、上記カフ圧制御部は、上記測定要求が上記予測された排気完了時以降の予め定められたスタンバイ期間内に入力されたとき、直ちに上記次回の血圧測定のための加圧を開始する。これにより、早く測定を繰り返したいユーザの満足度を高めることができる。
【００２２】
一実施形態の血圧計では、上記カフ圧制御部は、上記カフからの排気によって上記カフの圧力が予め定められた規制値未満になった後に上記加圧を開始することを特徴とする。
【００２３】
予め定められた「規制値」とは、例えば１５ｍｍＨｇである。血圧測定用のカフによって１５ｍｍＨｇ以上の圧力を３分間以上印加し続けることは、静脈性鬱血、末梢神経損傷などを引き起こすおそれがあるため、法令により禁止されている。
【００２４】
この一実施形態の血圧計では、上記カフ圧制御部は、上記カフからの排気によって上記カフの圧力が予め定められた規制値未満になった後に、上記次回の血圧測定のための加圧を開始する。したがって、法令を遵守して、静脈性鬱血、末梢神経損傷などを引き起こすおそれを解消し得る。
【発明の効果】
【００２５】
以上より明らかなように、この発明の血圧計によれば、１回の血圧測定の終了から次回の血圧測定のための加圧開始までのユーザの待ち時間を解消できる。
【図面の簡単な説明】
【００２６】
【図１】この発明の一実施形態の電子血圧計の概略的なブロック構成を示す図である。
【図２】上記電子血圧計の基本的な１回の血圧測定の動作フローを示す図である。
【図３】上記電子血圧計における１回目の血圧測定から２回目の血圧測定へ連続させる処理であって、開始予定時を設定して２回目の血圧測定のための加圧を開始する方式（タイプＡ）のフローを示す図である。
【図４】図３のフローにおいて、開始予定時としての予測された排気完了時よりも前に測定要求があった場合の、カフ圧の時間的推移を示す図である。
【図５】図３のフローにおいて、予測された排気完了時以降のスタンバイ期間内に測定要求があった場合の、カフ圧の時間的推移を示す図である。
【図６】上記電子血圧計における１回目の血圧測定から２回目の血圧測定へ連続させる処理であって、カフからの排気によってカフ圧が予め定められた規制値未満になった後に２回目の血圧測定のための加圧を開始する方式（タイプＢ）のフローを示す図である。
【図７】図６のフローにおいて、カフ圧が予め定められた規制値未満になった後に測定要求があった場合の、カフ圧の時間的推移を示す図である。
【図８】従来の血圧計における初期化処理のフローを示す図である。
【図９】従来の血圧計によって繰り返し測定を行う場合の、カフ圧の時間的推移を示す図である。
【発明を実施するための形態】
【００２７】
以下、この発明の実施の形態を、図面を参照しながら詳細に説明する。
【００２８】
図１は、この発明の一実施形態の電子血圧計（全体を符号１で示す。）の概略的なブロック構成を示している。この血圧計１は、カフ２０と、本体１０と、この本体１０に搭載された、制御部としてのＣＰＵ（Central Processing Unit）１００、表示器５０、記憶部としてのメモリ５１、操作部５２、電源部５３、ポンプ３２、弁３３、および圧力センサ３１を含む。また、本体１０は、この本体１０に搭載された、圧力センサ３１からの出力を周波数に変換する発振回路３１０、ポンプ３２を駆動するポンプ駆動回路３２０、弁３３を駆動する弁駆動回路３３０を有する。
【００２９】
カフ２０は、被測定部位を圧迫するための流体袋２２を内包している。なお、カフ２０は、被測定部位を実質的に圧迫できる部材であれば良く、「ベルト」、「バンド」などの他の名称であっても良い。
【００３０】
上記表示器５０は、ディスプレイおよびインジケータ等を含み、ＣＰＵ１００からの制御信号に従って所定の情報を表示する。
【００３１】
上記操作部５２は、この例では、電源部５３をＯＮ（オン）またはＯＦＦ（オフ）するための指示の入力を受け付ける電源スイッチ５２Ａと、血圧の測定開始の指示を受け付けるための測定スイッチ５２Ｂと、測定停止の指示を受け付けるための停止スイッチ５２Ｃと、登録された複数のユーザの中から被験者となるユーザを選択するための使用者選択スイッチ５２Ｄとを有する。これらのスイッチ５２Ａ，５２Ｂ，５２Ｃ，５２Ｄは、ユーザによる指示に応じた操作信号をＣＰＵ１００に入力する。
【００３２】
上記メモリ５１は、血圧計１を制御するためのプログラムのデータ、血圧計１を制御するために用いられるデータ、血圧計１の各種機能を設定するための設定データ、および血圧値の測定結果のデータなどを記憶する。また、メモリ５１は、プログラムが実行されるときのワークメモリなどとして用いられる。
【００３３】
上記ＣＰＵ１００は、メモリ５１に記憶された血圧計１を制御するためのプログラムに従ってカフ圧制御部として働いて、操作部５２からの操作信号に応じて、ポンプ３２や弁３３を駆動する制御を行う。また、ＣＰＵ１００は、圧力センサ３１からの信号に基づいて、血圧値を算出し、表示器５０およびメモリ５１を制御する。
【００３４】
上記電源部５３は、ＣＰＵ１００、圧力センサ３１、ポンプ３２、弁３３、表示器５０、メモリ５１、発振回路３１０、ポンプ駆動回路３２０、および弁駆動回路３３０の各部に電力を供給する。
【００３５】
上記ポンプ３２は、カフ２０に内包された流体袋２２内の圧力（カフ圧）を加圧するために、流体袋２２に空気を供給する。弁３３は、流体袋２２の空気を排出し、または封入してカフ圧を制御するために開閉される。ポンプ駆動回路３２０は、ポンプ３２をＣＰＵ１００から与えられる制御信号に基づいて駆動する。弁駆動回路３３０は、弁３３をＣＰＵ１００から与えられる制御信号に基づいて開閉する。
【００３６】
上記圧力センサ３１と発振回路３１０は、カフの圧力を検出する圧力検出部として働く。圧力センサ３１は、例えば、ピエゾ抵抗式圧力センサであり、カフ用エアチューブ３９を介して、ポンプ３２、弁３３およびカフ２０に内包されている流体袋２２に接続されている。この例では、発振回路３１０は、圧力センサ３１からのピエゾ抵抗効果による電気抵抗の変化に基づく電気信号値に基づき発振して、圧力センサ３１の電気信号値に応じた周波数を有する周波数信号を出力値ＡＤ（デジタル化された出力値）としてＣＰＵ１００に出力する。
【００３７】
図２は、この血圧計１のＣＰＵ１００による基本的な１回の血圧測定のフローを示している。この図２のフローに従って、被験者の血圧値が１回測定される。なお、被験者の被測定部位（この例では、上腕とする。）に予めカフ２０が巻き付けられて装着されているものとする。
【００３８】
具体的には、電源スイッチ５２ＡがＯＮされた状態で測定スイッチ５２Ｂが押されると（図２のステップＳ１）、ＣＰＵ１００は、初期化処理を行う（ステップＳ２）。具体的には、ＣＰＵ１００は、処理用メモリ領域を初期化する。また、ＣＰＵ１００は、弁駆動回路３３０を介して、弁３３を開放してカフ２０の流体袋２２内の空気を排気させ、排気完了後に、圧力センサ３１の現時点の圧力センサの出力値を大気圧（０ｍｍＨｇ）に相当する基準値として決定する（０ｍｍＨｇ補正）。
【００３９】
続いて、ＣＰＵ１００は、弁駆動回路３３０を介して弁３３を閉鎖し、その後、ポンプ駆動回路３２０を介してポンプ３２を駆動して、流体袋２２に空気を送る制御を行う。これにより、流体袋２２を膨張させるとともにカフ圧Ｐｃ（図４参照）を徐々に加圧していく（図２のステップＳ３）。
【００４０】
この加圧過程で、ＣＰＵ１００は、血圧値を算出するために、圧力センサ３１によって、カフ圧Ｐｃをモニタし、被測定部位としての上腕の動脈で発生する動脈容積の変動成分を脈波信号として取得する。
【００４１】
次に、図２中のステップＳ４で、ＣＰＵ１００は、この時点で取得されている脈波信号に基づいて、オシロメトリック法により公知のアルゴリズムを適用して血圧値（収縮期血圧ＳＢＰと拡張期血圧ＤＢＰ）の算出を試みる。
【００４２】
この時点で、データ不足のために未だ血圧値を算出できない場合は（ステップＳ５でＮＯ）、カフ圧Ｐｃが上限圧力（安全のために、例えば３００ｍｍＨｇというように予め定められている。）に達していない限り、ステップＳ３〜Ｓ５の処理を繰り返す。
【００４３】
このようにして血圧値の算出ができたら（ステップＳ５でＹＥＳ）、ＣＰＵ１００は、ポンプ３２を停止し、弁３３を開いて、カフ２０（流体袋２２）内の空気を排気する制御を行う（ステップＳ６）。そして最後に、血圧値の測定結果を表示器５０に表示するとともに、メモリ５１に記録する（ステップＳ７）。
【００４４】
なお、血圧値の算出は、加圧過程に限らず、減圧過程において行われてもよい。
【００４５】
図３は、血圧計１における１回目の血圧測定から２回目の血圧測定へ連続させる処理であって、開始予定時を設定して２回目の血圧測定のための加圧を開始する方式（この方式を「タイプＡ」と呼ぶ。）のフローを示している。
【００４６】
既述（図２中のステップＳ６）のように、１回目の血圧測定が終了する段階で、ＣＰＵ１００は、カフ２０（流体袋２２）からの排気を開始する（図４中に排気開始時ｔ０を示す。）。図３中のステップＳ１１に示すように、この排気中に、ＣＰＵ１００は、圧力センサ３１からの時系列の出力値（デジタル化された出力値）ＡＤを取得する。
【００４７】
さらに、図３中のステップＳ１２に示すように、ＣＰＵ１００が排気完了時予測部として働いて、圧力センサ３１からの時系列の出力値ＡＤに基づいて、カフ２０からの排気が完了すべき排気完了時ｔ１を予測する。
【００４８】
具体的には、この例ではカフ２０からの排気量がカフ圧Ｐｃに比例することから、排気中のカフ圧Ｐｃは指数関数的に減少する。排気開始時ｔ０におけるカフ圧をＰ０し、排気開始時ｔ０からの経過時間ｔにおけるカフ圧をＰｃ（ｔ）とすると、Ｐｃ（ｔ）は次式Ｅｑ．１のように表される。
Ｐｃ（ｔ）＝Ｐ０×ｅｘｐ（−λｔ）                  …  （Ｅｑ．１）
ここで、λは弁３３を通る空気の排気抵抗に応じた定数である。この式Ｅｑ．１について、少なくとも２つの時刻ｔでカフ圧Ｐｃ（ｔ）を観測することによって、Ｐ０とλの値を定めることができる。この例では、ＣＰＵ１００は、このＰ０とλの値が定められた式Ｅｑ．１を用いて、１ｓｅｃ毎のカフ圧Ｐｃ（ｔ）の時間的変化（出力値ＡＤの時間的変化に対応する）が予め定められた閾値α（この例では、α＝０．５ｍｍＨｇとする。）以下になるべき時を、排気完了時ｔ１として求める。これにより、排気完了時ｔ１を精度良く求めることができる。また、カフ２０の圧力が時間の経過に伴って指数関数的に減少すると仮定しているので、時刻ｔとカフ圧Ｐｃ（ｔ）（それに対応する出力値ＡＤ）との少ないデータセット数で迅速に、排気完了時ｔ１を予測できる。
【００４９】
次に、図３中のステップＳ１３に示すように、ＣＰＵ１００が出力値算出部として働いて、予測された排気完了時ｔ１よりも前に、予測された排気完了時ｔ１における圧力センサ３１からの出力値ＡＤｔ１を予測して算出する。具体的には、例えば、上記Ｐ０とλの値が定められた式Ｅｑ．１において、Ｐｃ（ｔ１）を求め、それに対応する出力値ＡＤｔ１を求める。これにより、指数関数を用いて、予測された排気完了時ｔ１における出力値ＡＤｔ１を迅速に算出できる。続いて、ＣＰＵ１００が事前初期化部として働いて、予測された排気完了時ｔ１よりも前に、予測された排気完了時ｔ１における予測された出力値ＡＤｔ１を、次回の血圧測定のための大気圧（０ｍｍＨｇ）に相当する基準値として決定する（０ｍｍＨｇ補正）。これにより、次回（２回目）の血圧測定の精度が確保され得る。
【００５０】
次に、図３中のステップＳ１４に示すように、ＣＰＵ１００は、排気開始後に操作部５２の測定スイッチ５２Ｂが押されて、既に測定要求が入力されているか否かを判定する。ここで、既に測定要求が入力されている場合、ステップＳ１５に進んで、ＣＰＵ１００は、現在の時刻ｔが開始予定時ｔ２に到達したか否かを判定する。この例では、開始予定時ｔ２は、予測された排気完了時ｔ１であるものとする。現在の時刻ｔが開始予定時ｔ２に到達していなければ（ステップＳ１５でＮＯ）、到達するまで待つ。そして、現在の時刻ｔが開始予定時ｔ２に到達すれば（ステップＳ１５でＹＥＳ）、ＣＰＵ１００は圧力制御部として働いて、２回目の血圧測定のための加圧を開始する（ステップＳ２１）。
【００５１】
この結果、この血圧計１によれば、図４中に示すように、ユーザが予測された排気完了時ｔ１までに測定要求ＭＲを入力したとき、１回目の血圧測定の排気完了時ｔ１と２回目の血圧測定のための加圧開始時ｔ２とが一致する。したがって、従来存在していた１回目の血圧測定の終了時ｔ１から２回目の血圧測定のための加圧開始時ｔ２までのユーザの待ち時間ｔｄ（図８参照）を解消できる。この結果、早く測定を繰り返したいユーザの満足度を高めることができる。
【００５２】
一方、図３中のステップＳ１４で、まだ測定要求が入力されていない場合（ステップＳ１４でＮＯ）、ステップＳ１６に進んで、ＣＰＵ１００は、予め定められたスタンバイ期間Δｔｓが経過したか否かを判定する。この例では、スタンバイ期間Δｔｓは、１回目の血圧測定の予測された排気完了時ｔ１から開始され、ｔ１から３分間で満了するものとする。
【００５３】
つまり、ＣＰＵ１００は、ステップＳ１４で現在の時刻ｔがｔ１よりも前であれば、測定要求が入力されるのを待ち（ステップＳ１４でＮＯ、ステップＳ１６でＮＯ）、測定要求が入力されると、現在の時刻ｔが開始予定時ｔ２に到達するのを待ってから（ステップＳ１５）、２回目の血圧測定のための加圧を開始する（ステップＳ２１）。
【００５４】
一方、ステップＳ１４で現在の時刻ｔがｔ１以降でスタンバイ期間Δｔｓ内であれば、ＣＰＵ１００は、測定要求が入力されるのを待ち（ステップＳ１４でＮＯ、ステップＳ１６でＮＯ）、測定要求が入力されると、既に現在の時刻ｔが開始予定時ｔ２に到達していることから（ステップＳ１５でＹＥＳ）、直ちに次回の血圧測定のための加圧を開始する（ステップＳ２１）。このように制御する理由は、予め定められたスタンバイ期間Δｔｓ内に測定要求が入力された場合、それ以前（１回目）の血圧測定中に次回の血圧測定のための大気圧（０ｍｍＨｇ）に相当する基準値が決定されている（０ｍｍＨｇ補正されている）ときは、２回目の血圧測定のためにその基準値をそのまま使える（測定要求が入力された後の新たな初期化処理が不要）と考えられるからである。
【００５５】
この結果、この血圧計１によれば、図５中に示すように、ユーザがスタンバイ期間Δｔｓ内に測定要求ＭＲを入力したとき、直ちに２回目の血圧測定のための加圧が開始される。図５の例では、スタンバイ期間Δｔｓ内の時刻ｔ３に測定要求ＭＲが入力され、その測定要求ＭＲが入力された時刻ｔ３に直ちに２回目の血圧測定のための加圧が開始されている。これにより、早く測定を繰り返したいユーザの満足度を高めることができる。
【００５６】
なお、スタンバイ期間Δｔｓを経過しても測定要求が入力されなかった場合（図３のステップＳ１６でＹＥＳ）、ＣＰＵ１００は、２回目の血圧測定を行わず、処理を終了する。このように、この血圧計１では、測定要求が入力されたことを条件として、２回目の血圧測定のための加圧を開始しているので、ユーザが繰り返し測定を望むときに限り、２回目の血圧測定を行うことができる。
【００５７】
（変形例）
上述の図３のフローでは、開始予定時ｔ２を設定して加圧を開始する方式（タイプＡ）としたが、これに限られるものではない。カフ２０からの排気によってカフ圧Ｐｃが予め定められた規制値ＰＬ未満になった後に加圧を開始する方式（この方式を「タイプＢ」と呼ぶ。）としてもよい。
【００５８】
図６は、血圧計１における１回目の血圧測定から２回目の血圧測定へ連続させる処理であって、カフ２０からの排気によってカフ圧Ｐｃが予め定められた規制値ＰＬ未満になった後に２回目の血圧測定のための加圧を開始する方式（タイプＢ）のフローを示している。なお、理解の容易のため、図６において、図３中のステップと同じステップには同じ番号を付して、重複する説明を省略する。
【００５９】
ここで、規制値ＰＬは、この例では１５ｍｍＨｇに設定されている。血圧測定用のカフ２０によって１５ｍｍＨｇ以上の圧力を３分間以上印加し続けることは、静脈性鬱血、末梢神経損傷などを引き起こすおそれがあるため、法令により禁止されている。
【００６０】
この図６のフローでは、図３のフローに対して、ステップＳ１４に続くステップＳ１５′において、カフ圧Ｐｃが予め定められた規制値ＰＬ未満であるか否かを判定する点のみが異なっている。すなわち、ステップＳ１５で、現在のカフ圧Ｐｃが規制値ＰＬ未満に到達していなければ（ステップＳ１５でＮＯ）、到達するまで待つ。そして、現在のカフ圧Ｐｃが規制値ＰＬ未満に到達すれば（ステップＳ１５でＹＥＳ）、ＣＰＵ１００が圧力制御部として働いて、２回目の血圧測定のための加圧を開始する（ステップＳ２１）。
【００６１】
この結果、この血圧計１によれば、図７中に示すように、現在のカフ圧Ｐｃが規制値ＰＬ未満に到達した後（かつ、予測された排気完了時ｔ１よりも前）にユーザが測定要求ＭＲを入力したとき、直ちに２回目の血圧測定のための加圧が開始される。図７中の例ではカフ圧ＰｃがＰ４（＜ＰＬ）に到達した以降の時刻ｔ４に測定要求ＭＲが入力され、その時刻ｔ４に直ちに２回目の血圧測定のための加圧が開始されている。これにより、早く測定を繰り返したいユーザの満足度を高めることができる。
【００６２】
一方、現在のカフ圧Ｐｃが規制値ＰＬ未満に到達する前にユーザが測定要求ＭＲ′を入力したとき、カフ圧Ｐｃが規制値ＰＬ未満に到達し次第、２回目の血圧測定のための加圧が開始される。したがって、法令を遵守して、静脈性鬱血、末梢神経損傷などを引き起こすおそれを解消し得る。
【００６３】
なお、ユーザが予測された排気完了時ｔ１以降でスタンバイ期間Δｔｓ内に測定要求ＭＲを入力したときは、図５に示したのと同様に、その測定要求ＭＲが入力された時刻ｔ３に直ちに２回目の血圧測定のための加圧が開始される。これにより、早く測定を繰り返したいユーザの満足度を高めることができる。
【００６４】
このように、この血圧計１によれば、１回目の血圧測定の終了時から２回目の血圧測定のための加圧開始時までのユーザの待ち時間を解消でき、早く測定を繰り返したいユーザの満足度を高めることができる。
【００６５】
なお、先の図３のフロー（タイプＡ）の例では、開始予定時ｔ２は、予測された排気完了時ｔ１であるものとしたが、これに限られるものではない。開始予定時ｔ２は、予測された排気完了時ｔ１よりも前に設定されてもよい。例えば、開始予定時ｔ２は、式Ｅｑ．１によってＰｃ（ｔ）が数ｍｍＨｇ〜１０ｍｍＨｇ程度に到達すると予測される時に設定されてもよい。これにより、２回目の血圧測定のための加圧がより早く開始され得る。その場合も、タイプＢの例と同様に、カフ圧Ｐｃが予め定められた規制値ＰＬ未満になった後に加圧を開始するのが望ましい。
【００６６】
なお、この発明によって１回の血圧測定から次回の血圧測定へ連続させる処理は、複数回繰り返され得る。例えば、この発明が１回目の血圧測定から２回目の血圧測定への連続に適用された後、２回目の血圧測定から３回目の血圧測定への連続に再び適用されてもよい。
【００６７】
上の例では、血圧の測定方法はオシロメトリック法であるとしたが、これに限られるものではない。血圧の測定方法は、コロトコフ法など、他の測定方法であってもよい。
【００６８】
また、上の例では、被測定部位は上腕であるとしたが、これに限られるものではない。被測定部位は手首、足首など、他の部位であってもよい。
【００６９】
以上の実施形態は例示であり、この発明の範囲から離れることなく様々な変形が可能である。上述した複数の実施の形態は、それぞれ単独で成立し得るものであるが、実施の形態同士の組みあわせも可能である。また、異なる実施の形態の中の種々の特徴も、それぞれ単独で成立し得るものであるが、異なる実施の形態の中の特徴同士の組みあわせも可能である。
【符号の説明】
【００７０】
１  電子血圧計
２０  カフ
３１  圧力センサ
５０  表示器
【図１】
2018023624.tif 000003
【図２】
2018023624.tif 000004
【図３】
2018023624.tif 000005
【図４】
2018023624.tif 000006
【図５】
2018023624.tif 000007
【図６】
2018023624.tif 000008
【図７】
2018023624.tif 000009
【図８】
2018023624.tif 000010
【図９】
2018023624.tif 000011